(57)【要約】【課題】屋上をはじめとする所望の場所のどこにでも植物を植生して緑化することができ、また、保水層を薄く軽量とし、更に、植生した植物が枯れることも腐ることもない実用性，施工性に秀れた緑化技術を提供することを目的としている。【解決手段】所定の部位に植物を植生させて該部位を緑化する緑化装置であって、任意の部位に設置され土壌を充填した容体を有し、この容体の底部には水溜部が設けられ、この水溜部には炭化物が充填されている緑化装置。【選択図】        図１
2004147607.tif 000002
【特許請求の範囲】
【請求項１】
所定の部位に植物を植生させて該部位を緑化する緑化装置であって、任意の部位に設置され土壌を充填した容体を有し、この容体の底部には水溜部が設けられ、この水溜部には炭化物が充填されていることを特徴とする緑化装置。
【請求項２】
請求項１記載の緑化装置において、炭化物は、接着剤によりポーラス状に固めた状態で水溜部に充填されていることを特徴とする緑化装置。
【請求項３】
請求項１記載の緑化装置において、炭化物は、接着剤によりポーラス状且つ水溜部に略合致するパネル状に固めた状態で水溜部に充填されていることを特徴とする緑化装置。
【請求項４】
請求項１〜３いずれか１項に記載の緑化装置において、水溜部に充填する炭化物の厚さは５ｃｍ以下に設定されていることを特徴とする緑化装置。
【請求項５】
請求項１〜４いずれか１項に記載の緑化装置において、前記水溜部には、水分を吸着して保持する保水層が設けられていることを特徴とする緑化装置。
【請求項６】
請求項１〜５いずれか１項に記載の緑化装置において、水溜部に溜める水の水位を所定高さ以下に制御する水位上限制御機構が設けられ、該水位上限制御機構により水溜部の水位を所定高さ以下に制御しながら植物を植生するように構成されていることを特徴とする緑化装置。
【請求項７】
請求項６記載の緑化装置において、水位上限制御機構として、容体にして水溜部に水抜き孔が設けられ、水溜部に溜めた水の水位が所定高さより高くなった場合に該水抜き孔から水が導出されて該水溜部の水位が所定高さ以下となるものが採用されていることを特徴とする緑化装置。
【請求項８】
請求項１〜７いずれか１項に記載の緑化装置において、水溜部に溜める水の水位を所定高さ以上に制御する水位下限制御機構が設けられ、該水位下限制御機構により水溜部の水位を所定高さ以上に制御しながら植物を植生するように構成されていることを特徴とする緑化装置。
【請求項９】
請求項８記載の緑化装置において、水位下限制御機構として、水溜部の水の水位を監視する監視センサと、該監視センサが水溜部に溜められた水位が所定高さより低くなったことを感知した際、該水溜部に水を供給する水供給装置とから成るものが採用されていることを特徴とする緑化装置。
【請求項１０】
請求項９記載の緑化装置において、水供給装置として、雨水を溜めるタンクと、該タンクに溜められた水を水溜部に適宜供給する供給バルブとから成るものが採用されていることを特徴とする緑化装置。
【請求項１１】
請求項１〜１０いずれか１項に記載の緑化装置において、容体として、組立式のものが採用されていることを特徴とする緑化装置。
【請求項１２】
請求項１〜１１いずれか１項に記載の緑化装置において、容体として、防水処理が施された紙製のものが採用されていることを特徴とする緑化装置。
【請求項１３】
請求項１〜１２いずれか１項に記載の緑化装置は、建物の屋上に設けられるものであることを特徴とする緑化装置。
【請求項１４】
所定の部位に植物を植生させて該部位を緑化する方法であって、底部に水溜部が設けられた容体を前記所定の部位に設置し、続いて、この容体の水溜部に炭化物を充填し、続いて、この炭化物の上方に土壌を充填することで、水溜部に溜められた水が炭化物に保水される状態としつつ該炭化物の吸着作用及び分解作用によって該水が腐敗しないように植物を植生することを特徴とする緑化方法。
【請求項１５】
請求項１４記載の緑化方法において、炭化物として接着剤によりポーラス状且つ水溜部に略合致するパネル状に固めたものを採用し、該パネル状の炭化物を容体の水溜部に設置することで該水溜部に炭化物を充填することを特徴とする緑化方法。
【請求項１６】
請求項１４，１５いずれか１項に記載の緑化方法において、容体として、板材を組み立てる構造のものを採用し、設置現場で組み立てることにより水溜部を有する容体を所定の部位に設置することを特徴とする緑化方法。
【発明の詳細な説明】
【０００１】
【発明の属する技術分野】
本発明は、緑化装置及び緑化方法に関するものである。
【０００２】
【従来の技術及び発明が解決しようとする課題】
屋上を緑化する方法として、例えば、屋上の所定範囲を枠板で区画することにより区画部を形成し、この区画部内に防水シートを敷設し、この防水シート上に土壌を充填して植物を植生するものがある。
【０００３】
ところで、この構成の場合、区画部には過剰な水分を該区画部外へ排水するための排水孔が設けられている。
【０００４】
この排水孔は、通常前記区画部の底部よりもやや高い位置に設けている。これは、区画部内にして排水孔を形成した位置までは雨水等が溜まるようにすることで、該溜められた雨水等により土壌の乾燥を阻止して植物が枯れてしまうことを防止するためである。
【０００５】
しかしながら、前述のように、排水孔が区画部の底部よりもやや高い位置に設けられた構成の場合、例えば梅雨時には、毎日雨が降るため、雨水が区画部の底部に常時溜まったままの状態となってしまう。
【０００６】
そのため、この区画部の底部に溜まった水が腐ってしまい、この腐った雨水が植物に供給されると、該植物が腐ってしまうという問題点がある。
【０００７】
このような問題点を解決するために、例えば特開平８−８０１３０号公報（植物を植生する遮水層内の水位レベルを所定範囲に制御する技術）等、種々の緑化構成が提案されてはいるが、これらの構成は、いずれも、植生できる植物が制限されたり、特殊な土壌等を用いるために施工単価が高くなってしまったり、特殊な灌水システム等を用いなければならなかったりする等、様々な問題点を有する。
【０００８】
また、この構成では、緑化を行う為に例えば屋上の任意の場所に枠板を設置固定して区画部を形成しなければならない上、この区画部内に防水シートを敷設し、更に土壌を充填しなければならない為、その施工に非常に手間がかかり、また、コストがかかるという問題点がある。
【０００９】
更に、例えば、一旦屋上に設けた区画部を別の場所に移動させたい場合や、緑化部分を大きくしたり小さくしたい場合があっても、これを容易に行うことはできず、また、かなりのコストがかかってしまうという問題点がある。
【００１０】
本発明は、前述のこれら問題点を解決するために研究，検討を繰り返して発明したもので、屋上をはじめとする所望の場所のどこにでも植物を植生して緑化することができ、また、保水層を薄く軽量とし、更に、植生した植物が枯れることも腐ることもない実用性，施工性に秀れた緑化技術を提供するものである。
【００１１】
【課題を解決するための手段】
添付図面を参照して本発明の要旨を説明する。
【００１２】
所定の部位に植物３を植生させて該部位を緑化する緑化装置であって、任意の部位に設置され土壌２を充填した容体１を有し、この容体１の底部には水溜部４が設けられ、この水溜部４には炭化物５が充填されていることを特徴とする緑化装置に係るものである。
【００１３】
また、請求項１記載の緑化装置において、炭化物５は、接着剤によりポーラス状に固めた状態で水溜部４に充填されていることを特徴とする緑化装置に係るものである。
【００１４】
また、請求項１記載の緑化装置において、炭化物５は、接着剤によりポーラス状且つ水溜部４に略合致するパネル状に固めた状態で水溜部４に充填されていることを特徴とする緑化装置に係るものである。
【００１５】
また、請求項１〜３いずれか１項に記載の緑化装置において、水溜部４に充填する炭化物５の厚さは５ｃｍ以下に設定されていることを特徴とする緑化装置に係るものである。
【００１６】
また、請求項１〜４いずれか１項に記載の緑化装置において、前記水溜部４には、水分を吸着して保持する保水層１４が設けられていることを特徴とする緑化装置に係るものである。
【００１７】
また、請求項１〜５いずれか１項に記載の緑化装置において、水溜部４に溜める水の水位１３を所定高さ以下に制御する水位上限制御機構が設けられ、該水位上限制御機構により水溜部４の水位１３を所定高さ以下に制御しながら植物３を植生するように構成されていることを特徴とする緑化装置に係るものである。
【００１８】
また、請求項６記載の緑化装置において、水位上限制御機構として、容体１にして水溜部４に水抜き孔７が設けられ、水溜部４に溜めた水の水位１３が所定高さより高くなった場合に該水抜き孔７から水が導出されて該水溜部４の水位１３が所定高さ以下となるものが採用されていることを特徴とする緑化装置に係るものである。
【００１９】
また、請求項１〜７いずれか１項に記載の緑化装置において、水溜部４に溜める水の水位１３を所定高さ以上に制御する水位下限制御機構が設けられ、該水位下限制御機構により水溜部４の水位１３を所定高さ以上に制御しながら植物３を植生するように構成されていることを特徴とする緑化装置に係るものである。
【００２０】
また、請求項８記載の緑化装置において、水位下限制御機構として、水溜部４の水の水位１３を監視する監視センサ９と、該監視センサ９が水溜部４に溜められた水位１３が所定高さより低くなったことを感知した際、該水溜部４に水を供給する水供給装置１０とから成るものが採用されていることを特徴とする緑化装置に係るものである。
【００２１】
また、請求項９記載の緑化装置において、水供給装置１０として、雨水を溜めるタンク１１と、該タンク１１に溜められた水を水溜部４に適宜供給する供給バルブ１２とから成るものが採用されていることを特徴とする緑化装置に係るものである。
【００２２】
また、請求項１〜１０いずれか１項に記載の緑化装置において、容体１として、組立式のものが採用されていることを特徴とする緑化装置に係るものである。
【００２３】
また、請求項１〜１１いずれか１項に記載の緑化装置において、容体１として、防水処理が施された紙製のものが採用されていることを特徴とする緑化装置に係るものである。
【００２４】
また、請求項１〜１２いずれか１項に記載の緑化装置は、建物の屋上２２に設けられるものであることを特徴とする緑化装置に係るものである。
【００２５】
また、所定の部位に植物３を植生させて該部位を緑化する方法であって、底部に水溜部４が設けられた容体１を前記所定の部位に設置し、続いて、この容体１の水溜部４に炭化物５を充填し、続いて、この炭化物５の上方に土壌２を充填することで、水溜部４に溜められた水が炭化物５に保水される状態としつつ該炭化物５の吸着作用及び分解作用によって該水が腐敗しないように植物３を植生することを特徴とする緑化方法に係るものである。
【００２６】
また、請求項１４記載の緑化方法において、炭化物５として接着剤によりポーラス状且つ水溜部４に略合致するパネル状に固めたものを採用し、該パネル状の炭化物５を容体１の水溜部４に設置することで該水溜部４に炭化物５を充填することを特徴とする緑化方法に係るものである。
【００２７】
また、請求項１４，１５いずれか１項に記載の緑化方法において、容体１として、板材２９を組み立てる構造のものを採用し、設置現場で組み立てることにより水溜部４を有する容体１を所定の部位に設置することを特徴とする緑化方法に係るものである。
【００２８】
【発明の作用及び効果】
降雨等により、容体１内の土壌２に水が供給されると、この水は該土壌２内に浸透する。そして、土壌２中の水分量が過剰になると、該過剰な水は土壌２から水溜部４へ導出され、該水溜部４内に溜められる。
【００２９】
また、水溜部４に溜められた水は、水溜部４上の土壌２中の水分が不足した際、炭化物５が発揮する毛細管現象により、該土壌２に水が逐次供給されることになる。
【００３０】
従って、土壌２中の水分は過不足のない状態に維持される。
【００３１】
水溜部４には、多孔質物質である炭化物５が充填されており、良好に保水される。
【００３２】
更に、この炭化物５は、水溜部４に溜められた水を腐敗させる原因物質、例えば微生物の死骸等の有機物質を吸着する。この炭化物５に吸着された有機物質は、該炭化物５が有する分解作用（炭化物中の小孔に存在する微生物が前記吸着した微生物の死骸等の有機物質を分解する作用）によって分解され、従って、水溜部４に溜まる水は清浄なものとなる。
【００３３】
以上、土壌２中の水分は清浄にして過不足のない状態に維持され、これにより、植物３は良好に植生されることになり、よって、緑化が良好に達成されることになる。
【００３４】
また、本発明は、容体１を所望の部位に設置するだけで、任意の部位に植物３を植生できる環境を作出することができ、これにより、任意の部位を簡単に緑化することが可能になる。
【００３５】
本発明は、上述のように構成したから、屋上をはじめとする所望の場所のどこでも植物を植生して緑化することができ、また、土壌に過不足なく水分を供給し、この水を腐らせないことで、該植物を良好に植生させ、緑化を簡易且つ確実に行うことができる。
【００３６】
【発明の実施の形態】
図面は本発明の一実施例を図示したものであり、以下に説明する。
【００３７】
本実施例は、所定の部位、例えば屋上２２に植物３を植生させて該屋上２２を緑化する装置であって、任意の部位に設置され土壌２を充填した容体１を有し、この容体１の底部には水溜部４が設けられ、この水溜部４には炭化物５が充填されているものである。
【００３８】
容体１としては、図１〜３に図示したように、底板部１Ａと周壁部１Ｂとから成る箱状のものが採用されている。
【００３９】
また、この容体１は、防水処理が施された紙製のものや段ボール製のものが採用されている。尚、この場合、再生紙を使用すると良い。
【００４０】
また、この容体１としては、板状のものを該容体１の設置現場で組み立てることにより箱状となるものが採用されている。
【００４１】
具体的には、図３に図示したように、防水処理された四角形の板材２９の外縁の所定巾部分を、折り曲げ線３０に沿って折曲することで箱状となるものが採用されている。
【００４２】
この容体１の周壁部１Ｂの所定位置にして底板部１Ａから所定高さの位置には、水抜き孔７が設けられている。
【００４３】
この水抜き孔７にはドレインパイプ２７が連設されている。
【００４４】
この水抜き孔７より下方が前記水溜部４に設定されている。従って、水抜き孔７を底板部１Ａより３ｃｍ程度高い位置に設けた場合、水溜部４は深さは３ｃｍ程度となる。尚、この水抜き孔７の高さは１〜３ｃｍ程度が良い。
【００４５】
この水溜部４には炭化物５が充填されている。
【００４６】
炭化物５は、木炭や竹炭等の炭化物の粒を接着剤によりポーラス状（多孔質状）に固めた状態としたものが採用されている。このポーラス状に固めた炭化物５は軽量である。尚、接着剤は、植物３に悪影響を与えることがなく、また、炭化物５をポーラス状且つパネル状に固められるものであれば、適宜採用して良い。
【００４７】
また、この炭化物５は水溜部４に略合致するパネル状に形成したものが採用されている。
【００４８】
炭化物５の厚さは、軽量にする為や該炭化物５が有する吸着作用及び微生物の死骸等の有機物質を分解する作用を十分に発揮し、且つ、容体１内に溜まる水を毛細管現象により速やかに土壌２へ供給できるように５ｃｍ以下、具体的には、３ｃｍ程度に設定されている。
【００４９】
炭化物５上には、該炭化物５への土壌２の流入を防止するためのフィルター１５が層状に敷設されている。
【００５０】
このフィルター１５上には、土壌２が充填されている。
【００５１】
この炭化物５及び土壌２が充填された容体１が設置された屋上２２には、容体１の水溜部４に水を供給するためのメインタンク１１Ａと、該メインタンク１１Ａに水を補給するための補給タンク１１Ｂとが設けられている。
【００５２】
メインタンク１１Ａは、容体１よりも上方に設置されている。
【００５３】
メインタンク１１Ａと容体１の水溜部４とは給水管１６により連通されている。
【００５４】
この給水管１６には供給バルブ１２が設けられている。この供給バルブ１２としては電磁バルブ１２が採用されている。
【００５５】
また、補給タンク１１Ｂは、図１に図示したように、屋上２２の床面よりも下方位置に設けられている。
【００５６】
補給タンク１１Ｂとメインタンク１１Ａとは給水管２６により連通されている。
【００５７】
この給水管２６には、補給タンク１１Ｂの水をメインタンク１１Ａへ供給する供給ポンプ２４が設けられている。
【００５８】
また、屋上２２には、該屋上２２の床面に開口を有するドレインパイプ２３に連通した通水管２８が配設され、該通水管２８は補給タンク１１Ｂに連通され、屋上２２に降る雨水や、容体１の水抜き孔７から排水される水がドレインパイプ２３から前記通水管２８を通って補給タンク１１Ｂに溜められるように構成されている。
【００５９】
また、補給タンク１１Ｂの上部には、過剰な水を補給タンク１１Ｂ外へ排出するオーバーフロー管２５が設けられている。
【００６０】
容体１及びメインタンク１１Ａには、水溜部４の水位１３及びメインタンク１１Ａの水位１９を監視する監視センサ９，２０が夫々設けられている。
【００６１】
この夫々の監視センサ９，２０は、水溜部４の水位１３及びメインタンク１１Ａの水位１９が、水の供給を必要とする所定高さまで降下した際にこれを感知する監視センサ９Ａ，２０Ａと、前記水位１３，１９が、水の供給を停止すべき所定高さまで上昇した際にこれを感知する監視センサ９Ｂ，２０Ｂとで構成されている。尚、監視センサ９Ａ，２０Ａは水溜部４及びメインタンク１１Ａの上方、監視センサ９Ｂ，１１Ｂは水溜部４及びメインタンク１１Ａの下方に設置されている。
【００６２】
容体１に設けられた監視センサ９Ａは、水溜部４に溜められた水位１３を所定高さ（炭化物５の毛細管現象で水溜部４から土壌２へ水を供給できなくなる高さ）より低くなったことを感知した際、前記電磁バルブ１２に電気信号を送り、該電磁バルブ１２を開けて水溜部４に水を供給し、該水の供給により水溜部４の水位１３が上昇し、水抜き孔７の下端まに達した際、監視センサ９Ｂがこれを感知し、該監視センサ９Ｂが電磁バルブ１２に電気信号を送り、該電磁バルブ１２を閉めて水溜部４への水の供給が停止するように設定されている。
【００６３】
メインタンク１１Ａに設けられた監視センサ２０Ａは、該メインタンク１１Ａの水位１９が略零に近づいた際、監視センサ２０Ａがこれを感知し、供給ポンプ２４に電気信号を送ってこれを作動させてメインタンク１１Ａに水を供給し、この水の供給により、メインタンク１１Ａの水位１９が該メインタンク１１Ａの上部に達した際、監視センサ２０Ｂがこれを感知し、該監視センサ２０Ｂが供給ポンプ２４に電気信号を送って供給ポンプ２４の作動を停止させ、メインタンク１１Ａへの水の供給を停止するように設定されている。
【００６４】
次に、本実施例の緑化装置の設置方法について説明する。
【００６５】
先ず、屋上２２に、前記板材２９，前記ポーラス状且つパネル状にした炭化物５及びフィルター１５を運び上げる。
【００６６】
緑化したい場所において、板材２９を折り曲げ線３０に沿って折り曲げて組み立て、容体１を形成する。
【００６７】
この容体１の周壁部１Ｂにして底板部１Ａから所定の高さの位置に前記水抜き孔７を穿設する。
【００６８】
容体１の底部、即ち、水溜部４に前記ポーラス状且つパネル状の炭化物５を設置する。
【００６９】
この炭化物５の上にフィルター１５を載置する。
【００７０】
このフィルター１５の上に土壌２を充填し、該土壌２に植物３を植えて生育する。
【００７１】
水抜き孔７が水位上限制御機構としての作用を発揮する為、水溜部４に溜まる水は所定水位以下となる。
【００７２】
また、必要に応じて前記水供給機構を取り付ける。
【００７３】
この水供給機構は、容体１に前記監視センサ９Ａ，９Ｂを設け、また、容体１よりも上方に前記メインタンク１１Ａを設置し、該メインタンク１１Ａと水溜部４とを給水管１６で連結し、該給水管１６に電磁バルブ１２を設ける。
【００７４】
また、屋上２２の床面よりも下方に前記補給タンク１１Ｂを設け、該補給タンク１１Ｂと前記メインタンク１１Ａとを給水管２６で連結し、該給水管２６には供給ポンプ２４を設け、補給タンク１１Ｂの上部にはオーバーフロー管２５を連設する。
【００７５】
上記構成によれば、雨が降ったときには、容体１の土壌２から雨水が該土壌２に浸透していき、土壌２中の水分が過剰となると、この過剰な水分は水溜部４に溜められる。
【００７６】
そして、水溜部４の水位１３が上昇し、該水位１３が水抜き孔７が存在する位置に達すると、過剰な水が該水抜き孔７から容体１外に排水される。
【００７７】
また、容体１から屋上２２に排出される水や該屋上２２に降る雨は、屋上２２のドレインパイプ２３から通水管２８を通って補給タンク１１Ｂに導入されて貯水される。
【００７８】
この際、補給タンク１１Ｂ内の水量が過剰となると、オーバーフロー管２５から補給タンク１１Ｂ外（地上若しくは地下に排水し得る配管等）へ排水される。
【００７９】
一方、長期間雨が降らなかった時には、水溜部４に溜められた水が、炭化物５の毛細管現象により該水溜部４の上方に位置する土壌２に供給される。
【００８０】
水溜部４には炭化物５が充填されているため、良好に保水されている。
【００８１】
更に、炭化物５の吸着作用により、水溜部４に溜められた水に含まれる微生物の死骸等の有機物質や有害物質は炭化物５内に吸着される。また、炭化物５内に吸着された微生物の死骸等の有機物質や有害物質は、炭化物中の小孔に存在する微生物により分解される。
【００８２】
また、水溜部４内の水位１３が降下し、炭化物５の毛細管現象により土壌２に水を供給できない水位１３に達すると、容体１に設けた監視センサ９Ａが該水位１３の降下を感知し、該監視センサ９Ａが電磁バルブ１２に電気信号を送って該電磁バルブ１２が開き、これによりメインタンク１１Ａから水溜部４に水が供給され該水位１３が上昇する。
【００８３】
水溜部４内の水位１３が前記水抜き孔７の下端（水溜部４の上部）に達すると、前記監視センサ９Ｂがこれを感知し、該監視センサ９Ｂが電磁バルブ１２に電気信号を送って該電磁バルブ１２を閉じ、これにより、メインタンク１１Ａから水溜部４への水の供給が停止される。
【００８４】
また、メインタンク１１Ａから水溜部４に水が供給されることで該メインタンク１１Ａ内の水位１９が降下し底部に近づくと、メインタンク１１Ａに設けた監視センサ２０Ａがこれを感知し、該監視センサ２０Ａが前記給水管２６に設けた供給ポンプ２４に電気信号を送って該供給ポンプ２４が作動し、これにより、補給タンク１１Ｂ内の水が排水管２６を介してメインタンク１１Ａに供給される。
【００８５】
補給タンク１１Ｂからメインタンク１１Ａへの水の供給により、メインタンク１１Ａ内の水位１９が上昇し、該メインタンク１１Ａの上部に達すると、メインタンク１１Ａに設けた監視センサ２０Ｂがこれを感知し、該監視センサ２０Ｂが供給ポンプ２４に電気信号を送って該供給ポンプ２４の作動を停止させ、メインタンク１１Ａへの水の供給を停止する。
【００８６】
これにより、水は水溜部４に良好に保水される他に、水溜部４に溜まった水は炭化物５の毛細管現象により土壌２に供給され、且つ、炭化物５の分解作用により腐敗することはない。
【００８７】
以上により、屋上２２で植物３に良好に水分を供給して該屋上２２の緑化を良好に行うことができる。
【００８８】
本実施例は上述のように構成したから、水分が土壌２に過剰に供給される梅雨時等に水溜部４に水が長期間溜まり続けても、該水は腐敗することがなく、これにより、植物３が腐敗することなく、よって、植物３は良好に植生され屋上２２の所定場所の緑化を容易且つ確実に行うことができる。
【００８９】
即ち、水溜部４に溜められた水は炭化物５に吸着（吸収）された際、水中に含まれる該水を腐らせる原因物質である微生物の死骸等の有機物質をも吸着し、該炭化物５内において分解するため、水溜部４に溜まった水が腐敗することはない。
【００９０】
また、炭化物５は、土壌等と混合されて形成されるのではなく、単に炭化物５を接着剤でパネル状に固めたものを採用したから、水溜部４に溜められた水に含まれる該水を腐らせる原因物質である微生物の死骸等の有機物質を吸着し分解する作用が非常に強力に発揮される。
【００９１】
また、炭化物５の保水作用により、水溜部４は水を良好に保水でき、よって、土壌２の植物３への水の供給は良好に行われる。
【００９２】
また、炭化物５は高い保水作用を発揮するから、該炭化物５は薄くても良く、よって、パネル状の炭化物５は軽量で運搬性（設置性）は非常に良好となる。
【００９３】
更に、水溜部４に溜められた水は炭化物５の毛細管現象により、速やかに土壌２に供給されるため、水溜部４には水が溜まりにくく、また、溜まっても常時循環しているため、一層該水は腐敗しない。
【００９４】
また、水溜部４に溜められ炭化物５に吸着された水は、土壌２の含水量が不足した際に、炭化物５から土壌２中へ供給されるため、該土壌２には常時過不足無く水が供給されることになり、よって、土壌２で植物３を良好に植生させ、緑化を確実に行うことができる。
【００９５】
また、炭化物５は、多孔質物質である木炭や竹炭等の炭化物５の粒を接着剤で固めて形成されるため、非常に軽量であり、よって、秀れた運搬性，施工性を発揮することができる。
【００９６】
また、炭化物５は、接着剤によりポーラス状に固められているから、秀れた通水性を発揮することができる。
【００９７】
また、炭化物５は、軽量な木炭や竹炭等の炭化物を使用し、該炭化物を接着剤により多孔質状、即ち、ポーラス状に固めて形成されているから、非常に軽量であり、よって、施工性に秀れる。
【００９８】
また、炭化物５は、パネル状に形成されているため、施工時に屋上２２に容体１を設置した後、単に該容体１の中に炭化物５を設置するだけの非常に簡単な施工により、該容体１の水溜部４に炭化物５を設けることができ、この点においても施工性に秀れる。
【００９９】
また、炭化物５は、その厚さを３ｃｍ程度に設定しているため、極めて軽量であり、秀れた運搬性，施工性を発揮することになる。
【０１００】
また、土壌２で植生する多種多様な植物３の蒸発散効果と、常時所定量の水が溜められる水溜部４の冷熱効果により、従来の緑化システムと比較して秀れた冷熱効果を得ることが可能となり、これにより、省エネ効果も良好に発揮される。
【０１０１】
また、メインタンク１１Ａ，補給タンク１１Ｂ，電磁バルブ１２及び監視センサ９，２０等により、水溜部４に常時必要量の水を溜めておく構成のため、水溜部４の深さを浅くすることができ、これにより、水溜部４には少量の水しか溜まらず、より一層腐りにくくなる。
【０１０２】
また、容体１は、板材２９を現場で組み立てるものであるため、該容体１は設置場所への運搬が容易で、この点においても施工性に秀れる。
【０１０３】
また、容体１は、組立式であるため、単に前記段ボール板２９を折曲するだけで該容体１を組み立て形成することができる。即ち、屋上２２の所望場所を枠板で区画するなどの施工を施さなくとも、単に容体１を組み立てて設置するだけで前記所望場所を容易に緑化することができ、しかも、短期間で施工することができる。
【０１０４】
また、水溜部４の炭化物５が発揮する水供給作用により水溜部４上に充填する土壌２の厚さも薄く設定することができ、これにより、屋上２２を緑化する際に、該屋上２２に運搬する土壌２の量を少なくでき、よって、秀れた施工性，作業性を発揮することができる。
【０１０５】
また、容体１として防水処理が施された紙製のもの若しくは段ボール製のものを採用したから、該容体１は非常に軽量で運搬が容易である。
【０１０６】
また、容体１は紙製のものや段ボール製であるため、その形状や大きさを容易に設定変更することができ、これにより、様々な形状，大きさの容体１を容易に形成して屋上２２を所望する大きさ，形状で緑化することができる。
【０１０７】
また、容体１は軽量で容易に組み立てできる紙製若しくは段ボール製であるため、例えば施工が完了した数年後に容体１を継ぎ足すことも容易に行うことができる。
【０１０８】
また、例えば、様々な深さの容体１を用意し、夫々の容体１に応じて土壌２等を収納することで、様々な植物３を植生することができ、これにより、所望する植物３を自由に選択して植生でき、よって、緑化のアレンジを自由に行うことができる。
【０１０９】
また、遮水性に秀れた容体１を屋上２２の一部ではなく独立体として設置する構成のため、従来の屋上緑化と比較して漏水や植物根による建物への影響を心配する必要がない。
【０１１０】
また、水位供給機構により、容体１の水溜部４に常時所定量の水を過不足なく溜めておけるため、普通の土壌２を用いても、薄層で植物３を良好に植生して屋上を緑化することができる。
【０１１１】
図２は、本実施例の別例を示したもので、傾斜面、例えば傾斜している屋上２２等でも、植物３を良好に植生できる装置である。
【０１１２】
この別例は、水溜部４に充填した炭化物５と該炭化物５上に敷設するフィルター１５との間に、高分子性の吸水剤を敷設したものである。尚、この別例では、炭化物５上に高分子性の吸水剤を敷設した構成としたが、炭化物５に挟持される状態で前記高分子性の吸水剤を配設しても良い。
【０１１３】
この別例によれば、土壌２等を収納した容体１を傾斜した屋上２２等の床面に設置した際、水溜部４に溜まる水は、該水溜部４の端部（谷側）に集まり溜まろうとするが、この際、高分子性の吸水剤が該水溜部４の端部に溜まった水を吸収して該吸水剤の全体に行き渡らせる為、必然的に土壌２に万遍なく水を供給することができる。
【０１１４】
従って、この別例によれば、容体１を載置しようとする床面が、たとえ傾斜した床面であっても、植物３を良好に植生して緑化することができる。
【図面の簡単な説明】
【図１】本実施例の説明断面図である。
【図２】本実施例の別例を示す説明図である。
【図３】本実施例の容体１を形成する段ボール板２９を示す説明図である。
【符号の説明】
１  容体
２  土壌
３  植物
４  水溜部
５  炭化物
７  水抜き孔
９  監視センサ
１０  水供給装置
１１  タンク
１２  供給バルブ
１３  水位
１４  保水層
２２  屋上
２９  板材
【図１】
2004147607.tif 000003
【図２】
2004147607.tif 000004
【図３】
2004147607.tif 000005